(57)【要約】【課題】異なるビットレートの放送を受信し、受信状態に応じて最適な映像情報と音声情報とを再生させる。【解決手段】受信再生装置１００は、検出部１０１によって、高ビットレートの放送に含まれている映像情報および音声情報の信号エラーを検出するとともに、低ビットレートの放送に含まれている映像情報および音声情報の信号エラーを検出する。また、判断部１０２によって異なるビットレートの放送が同一のコンテンツであるか否かを判断する。そして、判断部１０２によって受信した各放送が同一コンテンツであると判断された場合は、算出部１０３によって異なるビットレートの放送の受信タイミングの遅延時間を算出する。そして、再生部１０４によって信号エラーの少ない映像情報と、音声情報とを再生させる。映像情報と、音声情報とが異なるビットレートの放送の場合には、同期部１０５によって遅延時間に応じて映像情報と音声情報とを同期させる。【選択図】図１
2008259136.tif 000002
【特許請求の範囲】
【請求項１】
映像情報と音声情報とを含む異なるビットレートの放送を受信して再生させる受信再生装置において、
前記異なるビットレートの放送のうち、高ビットレートの放送に含まれている映像情報および音声情報の信号エラーを検出するとともに、低ビットレートの放送に含まれている映像情報および音声情報の信号エラーを検出する検出手段と、
前記異なるビットレートの放送が同一のコンテンツであるか否かを判断する判断手段と、
前記判断手段によって同一コンテンツであると判断された場合に、前記異なるビットレートの放送のうちの一方の放送と比較した他方の放送の受信タイミングの遅延時間を算出する算出手段と、
前記検出手段による検出結果から信号エラーの少ない映像情報と、音声情報とを再生させる再生手段と、
前記再生手段によって再生させる映像情報と、音声情報とが異なるビットレートの放送の場合には、前記算出手段によって算出した遅延時間に応じて前記映像情報と前記音声情報とを同期させる同期手段と、
を備えることを特徴とする受信再生装置。
【請求項２】
前記算出手段は、前記判断手段によって、異なるビットレートの放送の相互相関関数の値が所定のしきい値以下であると判断された場合に、前記遅延時間を算出することを特徴とする請求項１に記載の受信再生装置。
【請求項３】
前記算出手段は、前記異なるビットレートの放送それぞれの受信タイミングの時間差を平滑化して前記遅延時間を算出することを特徴とする請求項１または２に記載の受信再生装置。
【請求項４】
前記算出手段は、前記検出手段によって、所定のしきい値以上の信号エラーが検出された場合に、前記遅延時間を算出しないことを特徴とする請求項１〜３のいずれか一つに記載の受信再生装置。
【請求項５】
前記再生手段によって再生されている音声情報に対して前記検出手段が検出した信号エラーが所定のしきい値以上になった場合に、前記再生手段によって再生されている音声を減衰させる減衰手段を備えることを特徴とする請求項１〜３のいずれか一つに記載の受信再生装置。
【請求項６】
前記再生手段によって再生されている音声情報に対して前記検出手段が検出した信号エラーが所定のしきい値以上になった場合に、前記遅延情報に応じて、高ビットレートの放送の音声情報と、低ビットレートの放送の音声情報とを同期させた後、前記二つの音声情報を合成した音声を前記再生手段によって再生させる合成手段を備えることを特徴とする請求項１〜３のいずれか一つに記載の受信再生装置。
【請求項７】
前記検出手段は、異なるビットレートの放送として、地上デジタル放送の１２セグメント放送および１セグメント放送に含まれている映像情報および音声情報の信号エラーを検出することを特徴とする請求項１〜６のいずれか一つに記載の受信再生装置。
【請求項８】
映像情報と音声情報とを含む異なるビットレートの放送を受信して再生させる受信再生装置の受信再生方法において、
前記放送のうち、高ビットレートの放送に含まれている映像情報および音声情報の信号エラーを検出するとともに、低ビットレートの放送に含まれている映像情報および音声情報の信号エラーを検出する検出工程と、
前記異なるビットレートの放送が同一のコンテンツであるか否かを判断する判断工程と、
前記判断工程によって同一コンテンツであると判断された場合に、前記異なるビットレートの放送のうちの一方の放送と比較した、他方の放送の受信タイミングの遅延時間を算出する算出工程と、
前記検出工程による検出結果から信号エラーの少ない映像情報と、音声情報とを再生させる再生工程と、
前記再生工程によって再生させる映像情報と、音声情報とが異なるビットレートの放送の場合には、前記算出工程によって算出した遅延時間に応じて前記映像情報と前記音声情報とを同期させる同期工程と、
を含むことを特徴とする受信再生方法。
【請求項９】
請求項８に記載の受信再生方法をコンピュータに実行させることを特徴とする受信再生プログラム。
【請求項１０】
請求項９に記載の受信再生プログラムをコンピュータに読み取り可能に記録したことを特徴とする記録媒体。
【発明の詳細な説明】
【技術分野】
【０００１】
この発明は、映像情報と音声情報とを含む異なるビットレートの放送を受信して再生させる受信再生装置、受信再生方法、および受信再生プログラムに関する。ただし、この発明の利用は、前述の受信再生装置、受信再生方法、受信再生プログラムおよび記録媒体に限るものではない。
【背景技術】
【０００２】
近年、各放送局は、同一のコンテンツを受信装置に応じた異なるビットレートで同時放送するサービスをおこなっている。たとえば、地上デジタル放送では、デジタル放送用に各放送局に割り当てられた放送波の帯域幅を、１３セグメントに分割したうちの１セグメントの放送波を携帯電話などの移動端末用の１セグメント放送として配信している。また、残りのセグメントの放送波を備え付けテレビ用の１２セグメント放送として配信している。
【０００３】
また上述のような地上デジタル放送の１セグメント放送と、１２セグメント放送との双方を受信し、記録する放送記録再生装置が開示されている。具体的には、１２セグメント放送と１セグメント放送とを同時録画する場合、「１２セグメント放送のＭＰＥＧ２形式の映像データ」、「１セグメント放送のＭＰＥＧ４形式の映像データ」および「１セグメント放送のＭＰＥＧ−２ＡＡＣ形式の音声データ」を記録する。さらに、１２セグメント放送を再生する際には「１２セグメント放送のＭＰＥＧ２形式の映像データ」および「１セグメント放送のＭＰＥＧ−２ＡＡＣ形式の音声データ」を復号し、１セグメント放送を再生する際には「１セグメント放送のＭＰＥＧ４形式の映像データ」および「１セグメント放送のＭＰＥＧ−２ＡＡＣ形式の音声データ」を復号して再生する（たとえば、下記特許文献１参照。）。
【０００４】
【特許文献１】特開２００５−３４０８８８号公報
【発明の開示】
【発明が解決しようとする課題】
【０００５】
しかしながら、上記特許文献１に記載の放送記録再生装置は、一旦録画した映像データ・音声データを読み出して再生させる機能を備えているが、１セグメント放送・１２セグメント放送を受信しながらリアルタイムに適宜再生させることができないという問題が一例として挙げられている。
【０００６】
また、１セグメント放送と、１２セグメント放送とは、同じコンテンツを放送する場合であっても、各放送波は異なる変調方式によって配信されている。このような変調方式の違いによって、１セグメント放送の音声情報は１２セグメント放送の音声情報と比較して、ビットレートが低いために音質の点では劣るが、受信装置の位置や移動状況の変化が生じても安定して受信できる利点を備えている。また、一般的に受信装置では、１２セグメント放送のコンテンツを構成する映像情報および音声情報と比較して、１セグメント放送のコンテンツを構成する映像情報および音声情報は、同一の内容（１セグメント放送の映像情報および音声情報はビットレートが低い）であっても遅れて受信される。
【０００７】
したがって、１セグメント放送と１２セグメント放送とを同時に受信できる機能を備えたとしても、１セグメント放送と１２セグメント放送とでは、受信タイミングのずれが発生している、異なるセグメントの放送を映像情報もしくは音声情報を同時に利用できないという問題が一例として挙げられる。
【課題を解決するための手段】
【０００８】
請求項１の発明にかかる受信再生装置は、映像情報と音声情報とを含む異なるビットレートの放送を受信して再生させる受信再生装置において、前記異なるビットレートの放送のうち、高ビットレートの放送に含まれている映像情報および音声情報の信号エラーを検出するとともに、低ビットレートの放送に含まれている映像情報および音声情報の信号エラーを検出する検出手段と、前記異なるビットレートの放送が同一のコンテンツであるか否かを判断する判断手段と、前記判断手段によって同一コンテンツであると判断された場合に、前記異なるビットレートの放送のうちの一方の放送と比較した他方の放送の受信タイミングの遅延時間を算出する算出手段と、前記検出手段による検出結果から信号エラーの少ない映像情報と、音声情報とを再生させる再生手段と、前記再生手段によって再生させる映像情報と、音声情報とが異なるビットレートの放送の場合には、前記算出手段によって算出した遅延時間に応じて前記映像情報と前記音声情報とを同期させる同期手段と、を備えることを特徴とする。
【０００９】
また、請求項８の発明にかかる受信再生方法は、前記放送のうち、高ビットレートの放送に含まれている映像情報および音声情報の信号エラーを検出するとともに、低ビットレートの放送に含まれている映像情報および音声情報の信号エラーを検出する検出工程と、前記異なるビットレートの放送が同一のコンテンツであるか否かを判断する判断工程と、前記判断工程によって同一コンテンツであると判断された場合に、前記異なるビットレートの放送のうちの一方の放送と比較した、他方の放送の受信タイミングの遅延時間を算出する算出工程と、前記検出工程による検出結果から信号エラーの少ない映像情報と、音声情報とを再生させる再生工程と、前記再生工程によって再生させる映像情報と、音声情報とが異なるビットレートの放送の場合には、前記算出工程によって算出した遅延時間に応じて前記映像情報と前記音声情報とを同期させる同期工程と、を含むことを特徴とする。
【００１０】
また、請求項９の発明にかかる受信再生プログラムは、請求項８に記載の受信再生方法をコンピュータに実行させることを特徴とする。
【００１１】
また、請求項１０の発明にかかる記録媒体は、請求項９に記載の受信再生プログラムをコンピュータに読み取り可能に記録したことを特徴とする。
【発明を実施するための最良の形態】
【００１２】
以下に添付図面を参照して、この発明にかかる受信再生装置、受信再生方法、受信再生プログラムおよび記録媒体の好適な実施の形態を詳細に説明する。
【００１３】
（受信再生装置の機能的構成）
まず、この発明の本実施の形態の受信再生装置の機能的構成について説明する。図１は、本実施の形態の受信再生装置の機能的構成の一例を示すブロック図である。図１の受信再生装置１００は、異なるビットレートの放送を受信し、再生する機能を備え、検出部１０１と、判断部１０２と、算出部１０３と、再生部１０４と、同期部１０５と、減衰部１０６と、合成部１０７とを含んで構成されている。
【００１４】
検出部１０１は、放送局などから配信される異なるビットレートの放送のうち、高ビットレートの放送に含まれている映像情報および音声情報の信号エラーを検出する。異なるビットレートの放送とは、たとえば、地上デジタル放送の１２セグメント放送と、１セグメント放送などが挙げられる。また、検出部１０１は、上述のような異なるビットレートの放送のうち、低ビットレートの放送に含まれている映像情報および音声情報の信号エラーもあわせて検出する。
【００１５】
なお、検出部１０１によっておこなわれる信号エラーの検出には、たとえば、受信した映像情報および音声情報のそれぞれ構成する信号の変調エラー率（ＭＥＲ）、コンスタレーション測定、エラー訂正前のビットエラー率（ＢＥＲ）、エラー訂正後のビットエラー率（ＢＥＲ）、レベル（チャンネルパワー）などの測定結果を利用する。これらの測定結果から受信し映像情報および音声情報のそれぞれを構成する信号が、所定の品質を満たしていない場合に信号エラーとして検出する。また、上記以外の手法を用いて信号エラーを検出してもよく、受信する信号の種類に応じて適宜設定してもよい。
【００１６】
判断部１０２は、受信再生装置１００が受信した異なるビットレートの放送が同一のコンテンツであるか否かを判断する。同一のコンテンツか否かを判断するには、異なるビットレートの放送において、それぞれの映像情報同士の相関性を求める。また、異なるビットレートの放送において、それぞれの音声情報同士に関しても相関性を求める。そして、相関性が所定のしきい値以上であれば、異なるビットレートの放送はそれぞれ同一のコンテンツを配信していると判断する。
【００１７】
また、判断部１０２において、異なるビットレートの放送の映像情報同士の相互相関関数の値が所定のしきい値以上であった場合は、異なるビットレートの放送にずれがないと判断し、そのまま再生させ、前記所定のしきい値未満の場合は、ずれがあると判断し、後述する遅延時間の算出をおこなうように設定してもよい。
【００１８】
算出部１０３は、判断部１０２によって異なるビットレートの放送が同一コンテンツであると判断された場合に、異なるビットレートの放送のうちの一方の放送（たとえば、高ビットレートの放送）と比較した他方の放送（たとえば、低ビットレートの放送）の受信タイミングの遅延時間を算出する。これは、一般的に、同一のコンテンツを異なるビットレートで放送する場合、データ圧縮形式が異なることを考慮した処理である。
【００１９】
したがって、放送局における圧縮処理時間も異なり、各ビットレートの放送をそのまま再生させると、映像情報、音声情報ともにずれが生じてしまう。そこで、算出部１０３によって算出された遅延時間は、後述する同期部１０５や、合成部１０７において、異なるビットレートの映像情報と音声情報とをずれなく再生させるための処理に利用される。遅延時間の算出手法としては、たとえば、異なるビットレートの放送それぞれの受信タイミングの時間差を平滑化する演算をおこなって遅延時間を求める。
【００２０】
また、算出部１０３は、検出部１０１によって、所定のしきい値以上の信号エラーが検出された場合に、遅延時間を算出しないように設定してもよい。このような設定をおこなうことにより、信号の品質の低い映像情報および音声情報の場合は、算出部１０３、再生部１０４、同期部１０５、減衰部１０６および合成部１０７による再生用の処理は実行されない。このような設定を適用させる場合、検出部１０２は、所定のしきい値以上の信号エラー検出時に、受信状態が悪く再生できない旨を利用者に報知する指示をおこなってもよい。
【００２１】
たとえば、受信再生装置１００によって受信した映像情報および音声情報に信号エラー箇所が多く、品質が低い場合には、他のビットレートの映像情報および音声情報との相関性と同一のコンテンツか否かを判断したところで、再生用には利用できない。したがって、放送の受信環境が悪く、再生させても利用者の視聴に耐えない画像や音声を再生させるような無駄な処理を削減することができる。そして、異なるビットレートの放送のうち、一方の放送によって受信した信号が所定の品質を満たしていれば、再生部１０４は、自動的にこの一方の放送の映像情報と音声情報とを再生させる。
【００２２】
再生部１０４は、検出部１０１による検出結果から信号エラーの少ない映像情報と、音声情報とを再生させる。たとえば、検出部１０１の検出結果から異なるビットレートの放送のうち、映像情報、音声情報ともに高ビットレートの放送の映像情報の信号エラーが少なければ、再生部１０４は、高ビットレートの放送の映像情報と音声情報とを再生させる。また、映像情報は高ビットレートの放送の信号エラーが少なく、音声情報は低ビットレートの放送の信号エラーが少なければ、再生部１０４は、高ビットレートの映像情報と、低ビットレートの音声情報とを再生させる。
【００２３】
なお、検出部１０１では、放送の受信に応じて継続してエラー検出がおこなわれる。したがって、検出部１０１によるエラー検出の検出結果は受信状態に応じて、再生部１０４によって再生される映像情報、音声情報は変化する。
【００２４】
同期部１０５は、再生部１０４によって再生させる映像情報と、音声情報とが異なるビットレートの放送の場合には、算出部１０３によって算出した遅延時間に応じて映像情報と音声情報とを同期させる。
【００２５】
減衰部１０６は、再生部１０４によって再生されている音声情報に対して検出部１０２が検出した信号エラーが所定のしきい値以上になった場合に、再生中の音声を減衰させる。この減衰処理によって、品質が低く利用者にとって聞き取りにくい音声情報の音量は、自動的に小さくなり、再生させた音声情報が耳障りになるような事態を避けることができる。
【００２６】
また、上述したように、再生部１０４によって再生される映像情報および音声情報は、放送の受信状態によって逐一変化する。ここで、再生部１０４によって再生される音声情報が高ビットレートから低ビットレートへ変化する場合や、逆に低ビットレートから高ビットレートの音声情報に変化する場合にも、減衰部１０６の減衰処理によって、音声情報の切り替えを視聴者に違和感なく自然におこなうことができる。
【００２７】
合成部１０７は、再生部１０４によって再生されている音声情報に対して検出部１０１が検出した信号エラーが、所定のしきい値以上になった場合に、上述した遅延情報に応じて、高ビットレートの放送の音声情報と、低ビットレートの放送の音声情報とを同期させた後、二つの音声情報を合成した音声を再生部１０４によって再生させる。すなわち、各ビットレートの片方の音声情報を再生させただけでは、音声情報の品質が低いため、２つのビットレートの音声情報を合成させることによって、エラー部分の信号を補完して、品質の高い音声情報として再生させる。
【００２８】
（受信再生装置の処理の内容）
つぎに、受信再生装置１００の処理の内容について説明する。図２は、受信再生装置の処理の内容の一例を示すフローチャートである。図２のフローチャートにおいて、まず、受信再生装置１００は、検出部１０１において、受信したビットレートの異なる放送のうち、高ビットレートの放送の信号エラーを検出する（ステップＳ２０１）。同じく、検出部１０１では、ビットレートの異なる放送のうち、低ビットレートの放送の信号エラーを検出する（ステップＳ２０２）。
【００２９】
ステップＳ２０１における高ビットレートの放送の信号エラーと、ステップＳ２０２における低ビットレートの放送の信号エラーとがそれぞれ検出されると、判断部１０２によって高ビットレートの放送と、低ビットレートの放送との相関性が高いか否かを判断する（ステップＳ２０３）。ここで、高ビットレートの放送と低ビットレートの放送との相関性が高いと判断された場合（ステップＳ２０３：Ｙｅｓ）、この２つのビットレートの放送の受信タイミングは等しいのでそのままステップＳ２０７の処理に移行し、映像情報と音声情報とを再生させる。
【００３０】
一方、ステップＳ２０３において、高ビットレートの放送と低ビットレートの放送との相関性が高いと判断された場合（ステップＳ２０３：Ｙｅｓ）、２つのビットレートの放送の受信タイミングにはずれが生じているため、遅延時間を算出部１０３によって算出する（ステップＳ２０４）。
【００３１】
その後、ステップＳ２０１およびステップＳ２０２における検出結果から信号エラーの少ない映像情報と、音声情報をそれぞれ選択する（ステップＳ２０５）。このステップＳ２０５において選択された映像情報と音声情報とが同じビットレートの放送か否かを判断する（ステップＳ２０６）。ここで、映像情報と音声情報とが同じビットレートであれば（ステップＳ２０６：Ｙｅｓ）、再生部１０４によってそのまま再生させる（ステップＳ２０７）。
【００３２】
一方、ステップＳ２０６において、選択された映像情報と音声情報とが異なるビットレートの放送であれば（ステップＳ２０６：Ｎｏ）、同期部１０５によって異なるビットレートの放送の映像情報と音声情報とを同期させた後、再生部１０４によって再生させる（ステップＳ２０８）。このステップＳ２０８における映像情報と音声情報との同期処理には、ステップＳ２０４によって算出された遅延時間が利用される。
【００３３】
ステップＳ２０７，２０８のいずれかにおいて、映像情報と音声情報との再生がおこなわれた後、放送の受信を終了するか否かの判断をおこなう（ステップＳ２０９）。ここで、受信を終了すると判断された場合は（ステップＳ２０９：Ｙｅｓ）、一連の処理を終了する。一方、放送の受信を継続する場合には（ステップＳ２０９：Ｎｏ）、ステップＳ２０１、Ｓ２０２の処理に戻り、受信処理を継続する。
【００３４】
以上説明したように、本実施の形態にかかる受信装置１００によれば、異なるビットレートで同一のコンテンツが配信されている場合、リアルタイムに受信状態のよい映像情報および音声情報を再生させることができる。
【実施例】
【００３５】
以下にこの発明の実施例について説明する。本実施例では、たとえば車両などの移動体に搭載するＡＶ（Ａｕｄｉｏ  Ｖｉｓｕａｌ）装置にこの発明の実施の形態にかかる受信再生装置を適用して地上デジタル放送を受信して、再生させる場合について説明する。
【００３６】
ここで、地上デジタル放送について説明する。地上デジタル放送とは、ＩＳＤＢ（Ｉｎｔｅｇｒａｔｅｄ  Ｓｅｒｖｉｃｅｓ  Ｄｉｇｉｔａｌ  Ｂｒｏａｄｃａｓｔｉｎｇ）の規格に基づいて、地上波のＵＨＦ帯を使用して配信するデジタル放送である。地上デジタル放送は、ＭＰＥＧ−２の圧縮技術を利用した高画質な映像情報と、高音質な音声情報を配信（ハイビジョン放送）する。また、放送コンテンツと平行して番組表、番組情報、天気予報などのデータ放送を配信することもできる。
【００３７】
また、地上デジタル放送は、通常の備え付け型テレビ用のハイビジョン放送に加え、携帯電話などの移動型の端末用のワンセグメント放送が提供されている。地上デジタル放送は、一般的に、日本においては、１のチャンネルにつき５．７２［ＭＨｚ］の帯域幅が割り振られている。この１チャンネル分の帯域幅は、約４２９Ｈｚを１単位としたセグメントに分けられる。したがって、１チャンネルの放送は、１３セグメントの分の放送波によって構成されている。
【００３８】
これら１３セグメントのうち、１２セグメントは、ハイビジョン放送（以下「１２セグメント放送」という）に利用され、残りの１セグメントがワンセグメント放送（以下、「１セグメント放送」という）に利用される。また、１２セグメント放送の変調方式には６４ＱＡＭ（６４Ｑｕａｄｒａｔｕｒｅ  Ａｍｐｌｉｔｕｄｅ  Ｍｏｄｕｌａｔｉｏｎ）、１セグメント放送の変調方式にはＱＰＳＫ（Ｑｕａｄｒａｔｕｒｅ  Ｐｈａｓｅ  Ｓｈｉｆｔ  Ｋｅｙｉｎｇ）がそれぞれ採用されている。
【００３９】
（ＡＶ装置のハードウェア構成）
まず、本実施例にかかるＡＶ装置のハードウェア構成について説明する。図３は、本実施例にかかるＡＶ装置のハードウェア構成の一例を示すブロック図である。図３において、ＡＶ装置３００は、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ（インターフェース）３１２と、ディスプレイ３１３と、通信Ｉ／Ｆ（インターフェース）３１４と、アンテナ３１５とを備えている。なお、各構成部３０１〜３１５はバス３２０によってそれぞれ接続されている。
【００４０】
まず、ＣＰＵ３０１は、ＡＶ装置３００の全体の制御を司る。ＲＯＭ３０２は、たとえばブートプログラム、通信プログラム、データベース作成プログラム、データ解析プログラム、受信再生プログラムなどの各種プログラムを記録している。
【００４１】
ここで、受信再生プログラムは、後述するアンテナ３１５によって受信した１セグメント放送と、１２セグメント放送の音声データおよび映像データを同期させてスピーカ３１０およびディスプレイ３１３に出力させる。また、音声データおよび映像データを同期させるために、具体的には、１セグメント放送の受信が１２セグメント放送の受信からどれだけ遅れているかを表す時間差を求める。この時間差から遅延時間を求めることにより、早く受信される１２セグメント放送を、遅れて受信される１セグメント放送と同期して再生させることができる。なお、受信再生プログラムの詳細な処理は後ほど説明する。
【００４２】
ＲＡＭ３０３は、たとえばＣＰＵ３０１のワークエリアとして使用される。磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記録する。具体的に、磁気ディスク３０５としては、たとえば、ＨＤ（ハードディスク）やＦＤ（フレキシブルディスク）を用いることができる。
【００４３】
また、磁気ディスク３０５は、受信再生プログラムが実行されている場合には、後述するアンテナ３１５によって受信した１２セグメント放送と１セグメント放送とのそれぞれの映像データおよび音声データを一時的に蓄積する。磁気ディスク３０５には、１２セグメント放送用と、１セグメント放送用とのそれぞれの記録領域が用意されている。
【００４４】
磁気ディスク３０５の各記録領域に記録されたデータ（映像データ、音声データ）は、ＣＰＵ３０１制御にしたがってデコードされ、順次再生される。また、すでに説明したように、１２セグメント放送は、１セグメント放送との受信の時間差だけ再生を遅延させている。したがって、１セグメント放送用の記録領域に比較して１２セグメント放送用の記憶領域は大きく設定されている。
【００４５】
なお、磁気ディスク３０５は、利用者から後述するマイク３０９や入力デバイス３１１により受信した映像データおよび音声データを記録する旨の指示を受け付けた場合には、指定された記録領域に映像データおよび音声データを記録する。
【００４６】
光ディスクドライブ３０６は、ＣＰＵ３０１の制御にしたがって光ディスク３０７に対するデータのリード／ライトを制御する。光ディスク３０７は、光ディスクドライブ３０６の制御にしたがってデータが読み出される着脱自在な記録媒体である。この光ディスク３０７としては、書き込み可能な記録媒体を利用することもできる。また、着脱可能な記録媒体として、具体的には、たとえば、楽曲データが格納された音楽ＣＤが挙げられる。また、光ディスク３０７として、上述のような音楽ＣＤのほか、ＭＯ、メモリカードなどを用いることもできる。
【００４７】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。なお、スピーカ３１０は、車両の内部だけでなく、車両の外部に設けられていてもよい。このスピーカ３１０からは、音声Ｉ／Ｆ３０８からの音声信号に基づく音声が出力される。また、マイク３０９から入力された音声は、たとえば音声データとして磁気ディスク３０５あるいは光ディスク３０７に記録可能である。
【００４８】
入力デバイス３１１は、文字、数値、各種指示などの入力のための複数のキーを備えたリモコン、キーボード、マウス、タッチパネルなどが挙げられる。
【００４９】
映像Ｉ／Ｆ３１２は、ディスプレイ３１３と接続される。この映像Ｉ／Ｆ３１２は、具体的には、たとえば、ディスプレイ３１３全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１３を表示制御する制御ＩＣなどによって構成される。
【００５０】
ディスプレイ３１３には、アイコン、カーソル、メニュー、ウインドウ、あるいは文字や画像などの各種データが表示される。このディスプレイ３１３としては、たとえば、ＣＲＴ、ＴＦＴ液晶ディスプレイ、プラズマディスプレイなどを採用することができる。
【００５１】
また、通信Ｉ／Ｆ３１４は、外部の通信ネットワークとＡＶ装置３００とのインターフェースとして機能する。具体的には、通信Ｉ／Ｆ３１４には、アンテナ３１５が接続されている。アンテナ３１５は、デジタル放送、アナログ放送など各種無線波を受信する。
【００５２】
なお、図１に示した実施の形態にかかる受信再生装置１００の検出部１０１、判断部１０２、算出部１０３および同期部１０５は、具体的には、たとえばＣＰＵ３０１、ＲＡＭ３０２およびＲＯＭ３０３によってそれぞれその機能を実現する。また、再生部１０４、減衰部１０６および合成部１０７は、具体的には、たとえばＣＰＵ３０１、磁気ディスクドライブ３０４、音声Ｉ／Ｆ３０８および映像Ｉ／Ｆ３１２によってそれぞれその機能を実現する。
【００５３】
（ＡＶ装置の受信再生部の機能的構成）
つぎに、図３を用いて説明したＡＶ装置３００において本実施の形態にかかる受信再生処理を実行する際の機能的構成を説明する。図４は、ＡＶ装置の受信再生部の機能的構成の一例を示すブロック図である。図４のように、ＡＶ装置３００の受信再生部４００は、１セグ受信部４１０と、１２セグ受信部４２０と、遅延算出部４３０、平滑部４４０とによって構成されている。
【００５４】
１セグ受信部４１０は、チューナ４１１と、デコード処理部４１２と、デコードエラー４１３と、Ｍｕｔｅ（ミュート：消音）処理部４１４と、Ｄｅｌａｙ（ディレイ：遅延）処理部４１５と、を含んでいる。１セグ受信部４１０において、チューナ４１１は、アンテナ３１５によって指定された周波数（チャンネル）の１セグメント放送を受信する。
【００５５】
また、１２セグ受信部４２０は、チューナ４２１と、デコード処理部４２２と、デコードエラー４２３と、Ｍｕｔｅ処理部４２４と、Ｄｅｌａｙ処理部４２５と、を含んでいる。１２セグ受信部４２０において、チューナ４２１は、アンテナ３１５によって指定された周波数（チャンネル）の１２セグメント放送を受信する。
【００５６】
１セグ受信部４１０も、１２セグ受信部４２０も、受信した放送から映像情報と音声情報とを取得し、蓄積部に蓄積する。蓄積された映像情報および音声情報は、デコード処理部４１２，４２２によってデコード処理された後、デコードエラー検出部４１３，４２３と、Ｍｕｔｅ処理部４１４，４２４にそれぞれ出力される。
【００５７】
デコードエラー検出部４１３，４２３で検出されたデコードエラーは、遅延算出部４３０およびにＭｕｔｅ処理部４１４，４２４に出力される。また、Ｍｕｔｅ処理部４１４，４２４は、デコードエラーや上位プロラムからの指示に応じて音声情報の再生音を減衰させる。Ｄｅｌａｙ処理部４１５，４２５は、再生中の映像情報と音声情報との組み合わせに応じて、再生タイミングを遅延させる。この遅延の調整は、遅延算出部４３０から出力された遅延値Ｔに応じておこなわれる。
【００５８】
遅延算出部４３０は、デコードエラー検出値をトリガとして、相互相関関数による遅延時間Ｔを算出する。平滑部４４０は、平滑処理部４４１と、平滑切替部４４２と、平滑選択部４４３とを含み、Ｍｕｔｅ処理部４１４，４２４における減衰処理の調整をおこなう。なお、遅延算出部４３０については、図５のフローチャートを用いて、平滑部４４０については図６のフローチャートを用いてそれぞれ詳しく後述する。
【００５９】
１セグ受信部４１０によって受信された映像情報および音声情報と、１２セグ受信部４２０によって受信された映像情報および音声情報は、映像切替スイッチ、音声切替スイッチによって選択され、音声Ｉ／Ｆ３０８、映像Ｉ／Ｆ３１２に出力される。なお、映像切替スイッチ、音声切替スイッチの切替は、利用者によっておこなわれてもよいし、上位プログラムによって自動的におこなわれてもよい。
【００６０】
（遅延算出処理の手順）
ＡＶ装置３００では、受信タイミングの異なる映像情報と音声情報とを同期再生させるために遅延時間Ｔを算出する。上述したように、遅延時間Ｔの算出は、遅延算出部４３０によっておこなわれる。したがって、以下に遅延算出処理の手順について説明する。
【００６１】
図５は、遅延算出処理の手順の一例を示すフローチャートである。図５のフローチャートにおいて、まず、ＡＶ装置４００のチューナ４１１，４２１においてチャンネル変更があったか否かを判断する（ステップＳ５０１）。このステップＳ５０２において、ＡＶ装置４００のチャンネル変更があった場合は（ステップＳ５０１：Ｙｅｓ）、過去の算出値、すなわち、前回この変更チャンネルにて算出した遅延時間（Ｔ）を読み出し、後述する遅延時間算出処理用に遅延算出部４３０に格納し、ステップＳ５０３の処理に移行する（ステップＳ５０２）。一方、チャンネル変更がなかった場合には（ステップＳ５０１：Ｎｏ）、他のチャンネルの算出値を読み出す必要がないため、そのままステップＳ５０３の処理に移行する。
【００６２】
つぎに、デコードエラー検出部４１３において、デコードエラーを検出したか否かを判断する（ステップＳ５０３）。ここで、デコードエラーが検出された場合は（ステップＳ５０３：Ｙｅｓ）、ステップＳ５０８の処理に移行する。一方、ステップＳ５０３において、デコードエラーが検出されなかった場合は（ステップＳ５０３：Ｎｏ）、１２セグメント放送／１セグメント放送を比較し、放送を受信する時間差（Δｔ）を測定する（ス
テップＳ５０４）。
【００６３】
続いて、１２セグメント放送／１セグメント放送の相関性が所定のしきい値以上か否かを判断する（ステップＳ５０５）。なお、２つのセグメントの相関性を求めるために相互相関関数を利用する。ステップＳ５０５において、相関性が所定のしきい値以上の場合（ステップＳ５０５：Ｙｅｓ）、２つのセグメントの放送の遅延がないもしくは修正された状態であるため、そのままステップＳ５０８の処理に移行する。一方、ステップＳ５０５において、相関性が所定のしきい値以下であった場合は（ステップＳ５０５：Ｎｏ）、２つのセグメントの放送を同期再生させるための処理に移行する。
【００６４】
２つのセグメントの放送を同期再生させるための、まず、ステップＳ５０４によって測定された時間差Δｔを平滑化し、遅延時間Ｔを算出する（ステップＳ５０６）。このステ
ップＳ５０６において遅延時間を算出するには、たとえば、時間差Δｔ時間平均を求めて
もよいし、平滑化のための時定数回路を利用して求めてもよい。
【００６５】
つぎに、ステップＳ５０６において算出した遅延時間Ｔを設定し、待機状態となる（ステップＳ５０７）。その後、地上デジタル放送の受信を終了するか否かを判断し（ステップＳ５０８）、受信を継続する場合は（ステップＳ５０８：Ｎｏ）、ステップＳ５０１の処理に戻り、遅延算出処理を繰り返す。そして、ステップＳ５０８において受信を終了すると判断されると（ステップＳ５０８：Ｙｅｓ）、そのまま一連の処理を終了する。
【００６６】
このように、ＡＶ装置３００は、受信した１２セグメント放送と、１セグメント放送との受信タイミングの時間差に応じて、遅延時間を算出することによって、適切な同期再生をおこなうことができる。また、ＡＶ装置３００は、同期再生以外にも、デコードエラーの検出機能を利用して、受信状態の悪い音声情報の再生音を減衰させることもできる。つぎに、ＡＶ装置３００の減衰処理について説明する。
【００６７】
（減衰処理の手順）
図６は、音声情報の受信状態に応じた減衰処理の手順を示すフローチャートである。図６のフローチャートでは、まず、デコードエラー検出部４１３，４２３において音声情報のデコードエラーを検出したか否かを判断する（ステップＳ６０１）。ここで、デコードエラーを検出した場合には（ステップＳ６０１：Ｙｅｓ）、音声情報の再生音を減衰させるため、平滑切替部４４２において減衰値Ａ＝１．０に設定する（ステップＳ６０２）。一方、ステップＳ６０１においてデコードエラーが検出されなかった場合には（ステップＳ６０１：Ｎｏ）、音声情報を減衰する必要はないため、平滑切替部４４２において減衰値Ａ＝０．０に設定する（ステップＳ６０３）。
【００６８】
減衰値Ａの設定が終了すると、平滑選択部４４３において減衰値Ａを平滑して、実際に音声情報を減衰するためのＡＴＴ（減衰）値（Ｂ）を算出する（ステップＳ６０４）。そして、ステップＳ６０４によって算出されたＡＴＴ値（Ｂ）を設定する（ステップＳ６０５）。ＡＴＴ値の設定によって、音声情報は、受信状態に応じてＡＴＴ値（Ｂ）＝１．０〜０．５に適宜減衰される。
【００６９】
その後、地上デジタル放送の受信を終了するか否かを判断し（ステップＳ６０６）、受信を継続する場合は（ステップＳ６０６：Ｎｏ）、ステップＳ６０１の処理に戻り、減衰処理を繰り返す。そして、ステップＳ６０６において受信を終了すると判断されると（ステップＳ６０６：Ｙｅｓ）、そのまま一連の処理を終了する。
【００７０】
このように、減衰処理をおこなうことによって、１２セグメント放送の音声情報の受信状態が悪くなり、音声切替スイッチによって１セグメント放送の音声情報に切り替える際には、１２セグメント放送の音声情報の再生音は自動的に減衰され消音される。また、１２セグメント放送、１セグメント放送双方の受信状態が悪くなった場合には、双方の音声情報の再生音が減衰されるため、品質の悪い耳障りな音声が再生されるのを防ぐことができる。なお、ステップＳ６０４において、ＡＴＴ値（Ｂ）を算出する際には、たとえば、減衰値Ａの時間平均を求めてもよいし、平滑化のための時定数回路を利用して求めてもよい。
【００７１】
以上説明したように、受信再生装置、受信再生方法、受信再生プログラムおよび記録媒体によれば、異なるビットレートで同一のコンテンツが配信されている場合、リアルタイムに受信状態のよい映像情報および音声情報を再生させることができる。
【００７２】
なお、本実施の形態で説明した受信再生方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００７３】
【図１】本実施の形態にかかる受信再生装置の機能的構成の一例を示すブロック図である。
【図２】本実施の形態にかかる受信再生装置の処理の一例を示すフローチャートである。
【図３】ＡＶ装置のハードウェア構成を示すブロック図である。
【図４】ＡＶ装置における受信機能部の機能的構成を示すブロック図である。
【図５】遅延算出処理の手順の一例を示すフローチャートである。
【図６】音声情報の受信状態に応じた減衰処理の手順を示すフローチャートである。
【符号の説明】
【００７４】
１００  受信再生装置
１０１  検出部
１０２  判断部
１０３  算出部
１０４  再生部
１０５  同期部
１０６  減衰部
１０７  合成部
【図１】
2008259136.tif 000003
【図２】
2008259136.tif 000004
【図３】
2008259136.tif 000005
【図４】
2008259136.tif 000006
【図５】
2008259136.tif 000007
【図６】
2008259136.tif 000008